(57)【要約】 【課題】鋳鉄管路で構築された上下水道管路を更新して別材質管路を構築する際に、鋳鉄管と仮設又は本設のステンレス管と接続作業を容易にする管継手用部材を提供する。【解決手段】接続対象の鋳鉄管２を挿入可能な径の大径管部１２と、接続対象のステンレス管３と同一径の小径管部１４が適宜長さ備えて連結されているステンレス製筒状部材であって、大径管部１２の端部にフランジ部１１１及びパッキン受部１１２を有する押輪連結部１１を設け、小径管部１４の端部近傍にハウジング継手用突部１４１を形成してなる。【選択図】図４
2017075630.tif 000002
【特許請求の範囲】
【請求項１】
接続対象の鋳鉄管を挿入可能な径の大径管部と、接続対象のステンレス管と同一径の小径管部が適宜長さ備えて連結されているステンレス製筒状部材であって、大径管部の端部にフランジ部及びパッキン受部を有する押輪連結部を設け、小径管部の端部近傍にハウジング継手用突部を形成してなることを特徴とする管継手用部材。
【請求項２】
小径管部と大径管部の境界を鋳鉄管の内径と対応する内径のリング板とし、小径管部と大径管部の端部を各々溶接して接続し、大径管部の端部に押輪連結部を溶着してなる請求項１記載の管継手用部材。
【請求項３】
ハウジング継手用突部が、細幅突条を溶着して設けてなる請求項１又は２記載の管継手用部材。
【発明の詳細な説明】
【技術分野】
【０００１】
本発明は、鋳鉄管とステンレス管を接続する管継手用部材に関するものである。
【背景技術】
【０００２】
上下水道における既設の鋳鉄管路を、新たに更新する樹脂管路を構築するに際して、更新管路構築中には、仮設配管が必要であり、仮設配管としてはステンレス管が採用されている。また更新管路としてステンレス管路を採用する場合がある。
【０００３】
特許文献１（特開２０１２−４２０２７号公報）には、前記の既設管路である鋳鉄管路と更新管路である樹脂管路の接続用の管継手が開示されている。前記の異種管継手は、両端にフランジ部を設けた継輪本体を、鋳鉄管用押輪で鋳鉄管端に装着し、先端部に係止用の拡大外径部を設けた樹脂製介在管を継輪本体に挿入し、樹脂管用押輪で樹脂製介在管を継輪本体に装着してなるもので、樹脂製介在管の基端部（接続端）に、樹脂管路を適宜な手段で連結するようにしている。
【先行技術文献】
【特許文献】
【０００４】
【特許文献１】特開２０１２−４２０２７号公報。
【発明の概要】
【発明が解決しようとする課題】
【０００５】
前記の特許文献１に開示されている異種管継手は、鋳鉄管と樹脂管との接続であり、樹脂管接続のために管継手には特殊形状の樹脂製介在管が必要となり、鋳鉄管とステンレス管との接続にはそのまま適用することはできない。また鋳鉄管とステンレス管は呼び径が同一でも実際の寸法（外径及び内径）が相違し、この相違点に対応する必要がある。
【０００６】
そこで本発明は、鋳鉄管路と接続するステンレス管による仮設配管の構築を容易に実現できる新規な管継手用部材を提案したものである。
【課題を解決するための手段】
【０００７】
本発明の請求項１記載に係る管継手用部材は、接続対象の鋳鉄管を挿入可能な径の大径管部と、接続対象のステンレス管と同一径の小径管部が適宜長さ備えて連結されているステンレス製筒状部材であって、大径管部の端部にフランジ部及びパッキン受部を有する押輪連結部を設け、小径管部の端部近傍にハウジング継手用突部を形成してなることを特徴とするものである。
【０００８】
而して前記管継手用部材を使用して鋳鉄管路に仮設配管となるステンレス管を連結接続するもので、接続手段は接続対象の鋳鉄管路端部の鋳鉄管に既存部品である押輪を装着し、パッキンを外嵌装した鋳鉄管２の端部を大径管部１２内に差込み、連結用ボルトを螺孔１１３に螺合してパッキン５をパッキン受部１１２とを合鋳鉄管に固定した鋳鉄管用押輪とフランジ部とを連結して本管継手用部材を鋳鉄管路端に水封連結し、仮設配管路を構成するハウジング継手用突部を備えたステンレス管の端部を小径管部端に突合せ、既存のハウジング継手を使用して連結し、管路接続を実現するものである。
【０００９】
また本発明の請求項２記載に係る管継手用部材は、小径管部と大径管部の境界を鋳鉄管の内径と対応する内径のリング板とし、小径管部と大径管部の端部を各々溶接して接続し、大径管部の端部に押輪連結部を溶着してなるもので、リング板の採用によって小径管部と大径管部の連結（溶接）作業が容易となり、且つリング板が鋳鉄管のストッパーとして機能する。
【００１０】
また本発明の請求項３記載に係る管継手用部材はハウジング継手用突部が、細幅突条を溶着して設けてなるもので、管外周面の押し出しによる突部形成手段より容易に突部を設けることができる。
【発明の効果】
【００１１】
本発明の構成は上記のとおりで、鋳鉄管路の更新に際して使用される本設又は仮設のステンレス管を、鋳鉄管路と接続するための管継手用部材を提供したもので、既存の部品（押輪及びハウジング継手）を使用するのみで、同一呼び径の鋳鉄管とステンレス管を容易に接続できるようにしたものである。
【図面の簡単な説明】
【００１２】
【図１】本発明の実施形態の全体図（一部切断面図）。
【図２】同側面図。
【図３】管路接続のために使用する押輪の端面図。
【図４】管路接続状態を示す一部裁断図。
【発明を実施するための形態】
【００１３】
次に本発明の実施形態について説明する。実施形態に示した本発明の管継手用部材１は、鋳鉄管路における接続箇所となる鋳鉄管２、接続管路の接続箇所となるステンレス管３（鋳鉄管２と同一呼び径）を接続するもので、前記の接続には、更に既存部品（所定の規格品）として、鋳鉄管用押輪４とパッキン５とハウジング継手６を使用する。
【００１４】
管継手用部材１は、ステンレス材で形成されるもので、押輪連結部１１と大径管部１２とリング板１３と小径管部１４を順次溶接接続して連結したものである。
【００１５】
押輪連結部１１は、鋳鉄管用押輪４と対面するフランジ部１１１とパッキン受部１１２を備え、フランジ部１１１は鋳鉄管用押輪４の連結用ボルト４４と対応する螺孔１１３を設け、パッキン受部１１２は、水封連結を実現するために鋳鉄管２の外径より大径内周面を備え、パッキン５が納まって水封連結を実現するものである。尚螺孔１１３に替えて軸孔としナットを使用するようにしても良い。
【００１６】
大径管部１２は、短ステンレス管であり、鋳鉄管２が挿入され得る内径を備え、端部を前記押輪連結部１１とリング板１３に密封溶接して接続したものである。
【００１７】
リング板１３は、前記表背面に大径管部１２と小径管部１４を溶接して接続するものでその他内径は、鋳鉄管２の管端面が衝突する大きさとしたものであり、管路構築後の水流を考慮すると、鋳鉄管２の内径と一致させることが好ましい。
【００１８】
小径管部１４は、大径管部１２と同様に短ステンレス管であるが、その径は接続されるステンレス管３と同一径であり、管端糊所定位置（接続されるステンレス管３と同一位置）に、細幅突条を溶接してハウジング継手用突部１４１を設けてなる。
【００１９】
鋳鉄管用押輪４とパッキン５とハウジング継手６は既存部品であり、鋳鉄管用押輪４は、リング状本体４１に、押しボルト４２と押しボルトで押圧される弓形爪４３と連結用ボルト４４を備えたものであり、特にリング状本体４１の前面にはパッキン押圧突部４５を突設したものである。
【００２０】
またパッキン５は所定の形状を備え、ハウジング継手６は、分割本体６１ａ，６１ｂと管継目を水封するシール６２と分割本体６１ａ，６１ｂを連結するボルト６３及びナットからなる。
【００２１】
而して前記管継手用部材１を使用して鋳鉄管２とステンレス管３とを接続するには、管継手用部材を鋳鉄管２に装着する。
【００２２】
前記の装着は、従前の押輪装着手法と同様に、はじめに鋳鉄管２に鋳鉄管用押輪４を外挿し、更にパッキン５も外嵌装して管端部分を大径管部１２内に差込み、連結用ボルト４４を螺孔１１３に螺合し、パッキン５をパッキン押圧突部４５によって押圧してパッキン受部１１２と鋳鉄管２の外周面を水封し、更に押しボルト４２で弓形爪４３を押圧して押輪４を鋳鉄管２に固定する。
【００２３】
そして管継手用部材の小径管部１４には、従前のステンレス管路構築に採用されているハウジング継手６を使用してステンレス管３を連結するもので、従前の手法と同様にハウジング継手用突部３１を備えたステンレス管３の端部を小径管部１４の端部に突合せ、シール６２を被せ、分割本体６１ａ，６１ｂを、ハウジング継手用突部１４１，３１を跨がせて管の接続箇所に装着して、小径管部１４と仮設又は本設のステンレス管３を接続するものである。
【符号の説明】
【００２４】
１      管継手用部材
１１    押輪連結部
１１１    フランジ部
１１２    パッキン受部
１１３    螺孔
１２    大径管部
１３    リング板
１４    小径管部
１４１  ハウジング継手用突部
２      鋳鉄管
３      ステンレス管
３１    ハウジング継手用突部
４      鋳鉄管用押輪
４１    リング状本体
４２    押しボルト
４３    弓形爪
４４    連結用ボルト
４５    パッキン押圧突部
５      パッキン
６      ハウジング継手
６１ａ，６１ｂ    分割本体
６２    シール
６３    ボルト
６４    ナット
【図１】
2017075630.tif 000003
【図２】
2017075630.tif 000004
【図３】
2017075630.tif 000005
【図４】
2017075630.tif 000006